(57)【要約】【課題】アース側部材に対する接触不良をなくすることができるとともに、アース側部材との接触面積を増加することができる導電体、回路基板及び電子機器を提供する。【解決手段】回路基板７をアース側部材６に接触させるための導電体において、アース側部材に接触する一面と、回路基板７に取付けられる他面との間に、その撓みにて一面及び他面間の厚さが薄くなる可撓部８０を有し、該可撓部８０は、発泡部材８１及び該発泡部材８１を包被してある可撓シート８２を有し、可撓部８０を保持導体８３にて保持し、該保持導体８３を回路基板７に取付ける構成とした。【選択図】図３
2011014408.tif 000002
【特許請求の範囲】
【請求項１】
その一面及び他面間に、その撓みにて前記一面及び他面間の厚さが薄くなる可撓部を有することを特徴とする導電体。
【請求項２】
前記可撓部は発泡部材及び該発泡部材を包被してある可撓シートを有する請求項１記載の導電体。
【請求項３】
前記可撓部を保持する保持導体を有する請求項１又は２記載の導電体。
【請求項４】
前記可撓部は前記他面の側にスリットを有し、該スリットにて分断された一方側部分に貫通孔を設けてある請求項２又は３記載の導電体。
【請求項５】
前記保持導体は、略Ｌ字形をなし、Ｌ字の一方の辺に前記可撓部を保持してある保持板部と、他方の辺から外方へ延出されている取付板部とを有する請求項３又は４記載の導電体。
【請求項６】
前記保持板部は、前記貫通孔に対応する軸孔を有し、前記貫通孔から前記軸孔に嵌入される軸体にて前記可撓部を保持してある請求項４又は５記載の導電体。
【請求項７】
請求項１から６のいずれか一つの導電体をその一面に取付けてあることを特徴とする回路基板。
【請求項８】
前記取付板部が取付けられる取付部位に環状の導電板が固定されており、前記取付板部は、前記導電板に嵌入される軸体にて取付けられている請求項７記載の回路基板。
【請求項９】
前記保持導体は、前記取付板部の先端から突出する凸片を有し、該凸片が嵌入される位置設定孔を設けてある請求項７又は８記載の回路基板。
【請求項１０】
請求項７から９のいずれか一つに記載の回路基板及び該回路基板を支持するアース側部材を備え、前記導電体は、前記可撓部の撓みにて前記アース側部材に接触していることを特徴とする電子機器。
【発明の詳細な説明】
【技術分野】
【０００１】
本発明は電子部品が実装されている回路基板をアース側物体に接触させるための導電体、該導電体がその一面に取付けられている回路基板、及び該回路基板を備える液晶表示装置、プラズマ表示装置等の電子機器に関する。
【背景技術】
【０００２】
液晶テレビジョン、プラズマテレビジョン等の電子機器は、前側に表示面を有し、後側に、電源回路基板、制御回路基板等の複数の回路基板が装着されている。
【０００３】
回路基板から発するノイズは、多接点アースバネにてアースされる（例えば、特許文献１参照）。
【０００４】
多接点アースバネは、略コ字形をなし、両端に取付片を有する金属板の中央板部に、略Ｌ字形をなす二つのスリットにて二つの接片が設けられている。このように構成された多接点アースバネは、両端の取付片が回路基板に半田等により取付けられ、二つの接片が機器の筐体に接触し、アースされる。
【先行技術文献】
【特許文献】
【０００５】
【特許文献１】実開昭６１−１４２４８３号公報
【発明の概要】
【発明が解決しようとする課題】
【０００６】
ところが、以上のように構成された従来の多接点アースバネは金属板にて形成され、接片の先部が筐体に接触するだけであるため、筐体に対して接触不良箇所が発生し易く、また、比較的大型の液晶テレビジョン等の電子機器にあっては、アース側物体との接触面積が不足することになり、改善策が要望されていた。
【０００７】
本発明は斯かる事情に鑑みてなされたものであり、主たる目的はアース側物体に対する接触不良をなくすることができるとともに、アース側物体との接触面積を増加することができる導電体、回路基板及び電子機器を提供することにある。
【課題を解決するための手段】
【０００８】
本発明に係る導電体は、その一面及び他面間に、その撓みにて前記一面及び他面間の厚さが薄くなる可撓部を有することを特徴とする。
【０００９】
この発明にあっては、一面及び他面間の可撓部を撓ませ、該可撓部の弾性復元力にて前記一面をアース側物体に接触させることができるため、アース側物体に対する接触不良をなくすることができるとともに、アース側物体との接触面積を増加することができる。
【００１０】
また、本発明に係る導電体は、前記可撓部は発泡部材及び該発泡部材を包被してある可撓シートを有する構成とするのが好ましい。
この発明にあっては、発泡部材を可撓シートが包被しているため、導電体の長さが比較的長い場合においても、アース側物体に対する接触不良をなくすることができる。
【００１１】
また、本発明に係る導電体は、前記可撓部を保持する保持導体を有する構成とするのが好ましい。
この発明にあっては、可撓部を保持している保持導体が可撓部の撓み量を制限し、可撓部の撓みすぎをなくすることができるため、可撓部の耐久性を高めることができる。
【００１２】
また、本発明に係る導電体は、前記可撓部は前記他面の側にスリットを有し、該スリットにて分断された一方側部分に貫通孔を設けてある構成とするのが好ましい。
この発明にあっては、貫通孔にリベット等の軸体を挿入することにより、可撓部のスリットから一方側部分を撓ませて保持導体に保持させることができるため、可撓部の保持を強固にできる。
【００１３】
また、本発明に係る導電体は、前記保持導体は、略Ｌ字形をなし、Ｌ字の一方の辺に前記可撓部を保持してある保持板部と、他方の辺から外方へ延出されている取付板部とを有する構成とするのが好ましい。
この発明にあっては、取付板部を回路基板に接触させ、回路基板の外力による撓みを、取付板部から保持板部及び可撓部を経てアース側物体に伝え得るため、回路基板の外力による撓みを防ぐことができる。
【００１４】
また、本発明に係る導電体は、前記保持板部は、前記貫通孔に対応する軸孔を有し、前記貫通孔から前記軸孔に嵌入される軸体にて前記可撓部を保持してある構成とするのが好ましい。
この発明にあっては、可撓部のスリットにて分断された一方側部分を軸体にて撓ませ、保持板部に固定することができるので、可撓部の保持力を高めることができる。
【００１５】
また、本発明に係る回路基板は、前述した発明の導電体をその一面に取付けてあることを特徴とする。
この発明にあっては、回路基板の一面に取付けられている可撓部が撓み、該可撓部の一面をアース側物体に接触させることができるため、アース側物体に対する接触不良をなくすることができるとともに、アース側物体との接触面積を増加することができる。
【００１６】
また、本発明に係る回路基板は、前記取付板部が取付けられる取付部位に環状の導電板が固定されており、前記取付板部は、前記導電板に嵌入される軸体にて取付けられている構成とするのが好ましい。
この発明にあっては、回路基板のノイズを導電板から保持導体へ効率よくアースすることができるとともに、合成樹脂製の軸体にて結合することができ、コストを低減できる。
【００１７】
また、本発明に係る回路基板は、前記保持導体は、前記取付板部の先端から突出する凸片を有し、該凸片が嵌入される位置設定孔を設けてある構成とするのが好ましい。
この発明にあっては、取付板部が回路基板に接触するのに先立って、凸片が位置設定孔に嵌入され、保持導体の回路基板に対する位置を決めることができるため、保持導体を適正な取付位置に容易に取付けることができ、保持導体の取付作業能率を高めることができる。
【００１８】
また、本発明に係る電子機器は、前述した発明の回路基板及び該回路基板を支持するアース側部材を備え、前記導電体は、前記可撓部の撓みにて前記アース側部材に接触していることを特徴とする。
この発明にあっては、アース側部材に接触する一面と、回路基板に取付けられる他面との間の可撓部を撓ませ、該可撓部の弾性復元力にて前記一面をアース側部材に接触させることができるため、アース側部材に対する接触不良をなくすることができるとともに、アース側部材との接触面積を増加することができる。
【発明の効果】
【００１９】
本発明によれば、一面及び他面間の可撓部を撓ませ、該可撓部の弾性復元力にて前記一面をアース側物体に接触させることができるため、アース側物体に対する接触不良をなくすることができるとともに、アース側物体との接触面積を増加することができる。
【図面の簡単な説明】
【００２０】
【図１】本発明に係る電子機器の構成を示す一部を省略した正面図である。
【図２】本発明に係る電子機器の構成を示す一部を省略した背面図である。
【図３】本発明に係る電子機器の導電体部分の構成を示す拡大断面図である。
【図４】本発明に係る導電体の構成を示す拡大断面図である。
【図５】本発明に係る導電体の構成を示す拡大斜視図である。
【図６】本発明に係る導電体の可撓部の構成を示すもので、(a) は側面図、(b) は正面図、(c) は平面図、(d) は底面図である。
【図７】本発明に係る導電体の保持導体の構成を示す斜視図である。
【発明を実施するための形態】
【００２１】
以下本発明をその実施の形態を示す図面に基づいて詳述する。図１は本発明に係る電子機器の構成を示す一部を省略した正面図、図２は電子機器の構成を示す一部を省略した背面図、図３は電子機器の導電体部分の構成を示す拡大断面図である。
【００２２】
図示した電子機器は、前側に表示面を有し、略直方体をなす表示部を備える薄型の表示装置における前記表示部の後側に装着される光源装置である。
【００２３】
この光源装置は、碁盤目のように並置される光源としての複数の発光ダイオード１と、該発光ダイオード１を一面に実装してあり、複数列に並置される複数の発光ダイオード基板２と、隣合う発光ダイオード基板２，２同士を接続してある複数のコネクタ３と、発光ダイオード基板２の一面に取付けられて発光ダイオード１の頂部と対向し、該発光ダイオード１が発光した光を発散させる複数のレンズ４と、該レンズ４がその内部に配される貫通孔５１を有し、前記一面及びコネクタ３の一面に対向してレンズ４が発散した光を反射させる反射シート５と、発光ダイオード基板２をその一面に複数列に並べて支持するアース側部材６と、該アース側部材６の他面に装着された複数の回路基板７と、該回路基板７の一面に取付けられている導電体８と、回路基板７に対する電磁波を遮断するシールドカバー９とを備え、導電体８がアース側部材６に接触している。
【００２４】
発光ダイオード基板２は一面に回路部を有する短冊状をなし、略矩形をなすアース側部材６の一面６ａに長さ方向及び幅方向に離隔して複数列に並置され、夫々の他面が一面に接触し、発光ダイオード基板２夫々が発する熱をアース側部材６に逃がすことができるようになしてある。発光ダイオード基板２夫々の一面には図１に示すように複数の発光ダイオード１を長さ方向に離隔して実装してあり、一面の長さ方向両端部には接続部２１，２２が設けられている。
【００２５】
長さ方向一端が対向するように複数列に並置された発光ダイオード基板２において、各列の発光ダイオード基板２は、隣合う二つの接続部２１，２１同士がコネクタ３にて接続され、一方の発光ダイオード基板２の接続部２２が後記する電源回路基板に第２コネクタにて接続され、他方の発光ダイオード基板２の接続部２２が後記する制御回路基板に第３コネクタにて接続されている。
【００２６】
アース側部材６は金属板を成形してなり、略矩形をなす平板状の板部６１及び該板部６１の周縁に連なる枠部を有し、板部６１の一面６ａに発光ダイオード基板２を長さ方向及び幅方向に並べて収容支持してある。
【００２７】
板部６１における他面には、導電性を有する複数本の柱体６２が取付けられ、該柱体６２の先端に回路基板７が装着されている。板部６１における柱体６２の取付部には、一面側が大径となる段付の嵌合孔６３が開設され、該嵌合孔６３の大径部内に柱体６２の一端部がカシメられている。柱体６２の他端部には螺子孔６２ａが設けられている。
【００２８】
回路基板７は、第２コネクタにて発光ダイオード基板２の一方の接続部２２に接続され、発光ダイオード基板２に実装されている発光ダイオード１等の電子部品に電圧を供給する電源回路基板７１、第３コネクタにて発光ダイオード基板２の他方の接続部２２に接続され、電子部品を制御する制御回路基板７２、前記表示部を制御する制御回路基板７３等を有し、いずれも四角形をなし、図２に示すように板部に沿って並置されている。
【００２９】
制御回路基板７２は略四角形をなし、四つの角部に第１の取付孔７ａが開設され、中央部に第２の取付孔７ｂ及び二つの位置設定孔７ｃ，７ｃが開設され、第２の取付孔７ｂの一面側の縁部に環状の導電板７４が固定されており、該導電板７４及び第２の取付孔７ｂに嵌入される第１の軸体１０にて導電体８が取付けられている。また、第１の取付孔７ａに挿通される雄螺子１１を柱体６２の螺子孔６２ａに捩込むことにより、回路基板７が板部６１に取付けられている。位置設定孔７ｃ，７ｃは第２の取付孔７ｂから両側へ離隔して配され、角孔形をなしている。
【００３０】
図４は導電体８の構成を示す拡大断面図、図５は導電体８の構成を示す拡大斜視図、図６は導電体８の可撓部の構成を示すもので、(a) は側面図、(b) は正面図、(c) は平面図、(d) は底面図である。また、図７は保持導体の構成を示す斜視図である。
【００３１】
導電体８は、可撓性を有する発泡部材８１及び該発泡部材８１を包被してある可撓シート８２を有し、四角柱形をなす可撓部８０と、該可撓部８０の一面を保持する保持導体８３とを備えている。可撓シート８２は、アルミニウム溶液が含浸された布製であり、発泡部材８１とともに撓むことができるように構成されている。可撓部８０の他面には導電性を有する両面テープ８４が貼付けられており、該両面テープ８４にて可撓部８０を保持導体８３に保持してある。また、可撓部８０の長さ方向中央部の一面側にはスリット８０ａが設けられ、該スリット８０ａにて分断された一方側部分に貫通孔８０ｂが設けられている。
【００３２】
保持導体８３は、導電性を有する金属板を成形してなり、略Ｌ字形をなし、Ｌ字の一方の辺に可撓部８０を保持してある保持板部８３ａと、Ｌ字の他方の辺から外方へ延出され、導電板７４と対向する取付板部８３ｂと、Ｌ字の一方の辺の端縁から延出され、Ｌ字の他方の辺と対向する延出板部８３ｃと、取付板部８３ｂの先端から屈曲された凸片８３ｄ及び延出板部８３ｃの先端から突出する凸片８３ｅとを有する。
【００３３】
取付板部８３ｂには取付孔７ｂに対応する軸孔８３ｆが開設され、導電板７４及び取付孔７ｂに嵌入される第１の軸体１０にて保持導体８３が取付けられている。また、保持板部８３ａのＬ字の一方の辺には、貫通孔８０ｂに対応する軸孔８３ｇが開設され、貫通孔８０ｂ及び軸孔８３ｇに嵌入される第２の軸体１２にて可撓部８０を保持してある。凸片８３ｄ，８３ｅは位置設定孔７ｃ，７ｃに嵌入され、回路基板７に対する導電体８の取付位置を設定することができるように構成されている。
【００３４】
第１の軸体１０は、合成樹脂製の可撓筒１０ａ及び該可撓筒１０ａに嵌入される合成樹脂製のピン１０ｂを有する。可撓筒１０ａは、一端に鍔部を有し、他端側に、軸長方向の複数のスリット及び内側へ膨出する膨出部を有し、スリット間の部片が径方向へ可撓になっており、可撓筒１０ａが軸孔８３ｆ、導電板７４及び取付孔７ｂに嵌入されている。
【００３５】
ピン１０ｂは、可撓筒１０ａの鍔部よりも大径の鍔部を一端に有し、可撓筒１０ａ内への嵌入により可撓筒１０ａのスリット間部片を径方向外方へ撓ませ、抜け出ないように構成されている。
【００３６】
第２軸体１２は、合成樹脂製の可撓筒１２ａ及び該可撓筒１２ａに嵌入される合成樹脂製のピン１２ｂを有する。可撓筒１２ａは、一端に鍔部を有し、他端側に、軸長方向の複数のスリット及び内側へ膨出する膨出部を有し、スリット間の部片が径方向へ可撓になっており、可撓筒１２ａが貫通孔８０ｂ及び軸孔８３ｇに嵌入されている。
【００３７】
ピン１２ｂは、可撓筒１２ａの鍔部よりも大径の鍔部を一端に有し、可撓筒１２ａ内への嵌入により可撓筒１２ａのスリット間部片を径方向外方へ撓ませ、抜け出ないように構成されている。
【００３８】
シールドカバー９は、制御回路基板７２の他面側を覆う皿形をなし、周縁部の複数箇所が雄螺子にてアース側部材６に取付けられている。
【００３９】
以上のように構成された光源装置は、アース側部材６における板部６１の他面から突出する複数本の柱体６２に制御回路基板７２の周縁部が装着されており、制御回路基板７２の中央部には、可撓部８０を保持してある保持導体８３が第１の軸体１０にて取付けられ、可撓部８０がアース側部材６の板部６１に接触しているため、制御回路基板７２のノイズを、柱体６２からアース側部材６にアースすることができ、さらに導電板７４、保持導体８３及び可撓部８０からアース側部材６の板部６１にアースすることができる。この際、可撓部８０は両面間で撓み、発泡部材８１を包被してある可撓シート８２が、発泡部材８１の弾性復元力にて板部６１に面接触しているため、導電体８のアース側部材６に対する接触不良をなくすることができるとともに、導電体８のアース側部材６との接触面積を増加することができる。因って、光源装置を備える表示装置の大型化に伴って制御回路基板７２等の回路基板７が大型になっても、該回路基板７のノイズを効率よくアースすることができる。
【００４０】
また、制御回路基板７２の中央側に厚さ方向の外力が加わる場合、該外力を保持導体８３及び可撓部８０からアース側部材６にて受止めることができるため、制御回路基板７２の撓みを防ぐことができる。
【００４１】
また、可撓部８０を有する導電体８が回路基板７に取付けられているため、アース側部材６に固定される柱体６２の個数を削減することができる。板部６１の嵌合孔６３に柱体６２をカシメにて固定する作業は時間及び手間がかかり、作業効率が悪いため、柱体６２を削減することにより作業性を高めることができ、光源装置のコストを低減できる。また、柱体６２が固定される板部６１の一面には、複数の発光ダイオード基板２が複数列に並置され、発光ダイオード基板２夫々が板部６１に接触し、発光ダイオード基板２夫々が発する熱を板部６１に逃がすことができるようになしてあり、柱体６２を固定する箇所が制限されているが、前述したように柱体６２を削減してあるため、柱体６２に制約されることなく複数の発光ダイオード基板２を複数列に並置することができる。
【００４２】
尚、以上説明した実施の形態では、可撓部８０の他面に貼付けられた両面テープ８４にて可撓部８０を保持導体８３に保持し、該保持導体８３をアース側部材６に取付けるように構成したが、その他、保持導体８３をなくし、両面テープ８４にて可撓部８０を制御回路基板７２等の回路基板７の一面に取付けるようにしてもよい。
【００４３】
また、本発明に係る電子機器は液晶テレビジョン等の表示装置が備える光源装置である他、前記表示装置であってもよい。
【符号の説明】
【００４４】
６    アース側部材
７    回路基板
７ｃ  位置設定孔
７４  導電板
８    導電体
８０  可撓部
８０ａ  スリット
８０ｂ  貫通孔
８１  発泡部材
８２  可撓シート
８３  保持導体
８３ａ  保持板部
８３ｂ  取付板部
８３ｄ  凸片
８３ｆ  軸孔
１０  軸体
【図１】
2011014408.tif 000003
【図２】
2011014408.tif 000004
【図３】
2011014408.tif 000005
【図４】
2011014408.tif 000006
【図５】
2011014408.tif 000007
【図６】
2011014408.tif 000008
【図７】
2011014408.tif 000009